(57)【要約】  【課題】        患者識別用に用いられるリストバンドにおいて、患者の取り違え等の医療過誤の防止を図ることができ、且つＩＣを再利用でき、リストバンド装着時には当該患者によるＩＣの取出しを不可能とし、且つリストバンドを当該患者から取外した後は、容易に取出し可能なリストバンドを提供すること。  【解決手段】      防水基材からなり、患者の個人情報を電気的に記憶し、且つ表面にて患者の個人情報を表示するＩＣシート１と、ＩＣシート１を内在する収納部２と、を有し、収納部２の表面を透明基材にて形成し、収納部２の裏面に、ＩＣシート１を挿入、及び取出し可能とする密着開閉自在な開口部９を有する。【選択図】        図１
2005287663.tif 000002
【特許請求の範囲】
【請求項１】
患者の手首または足首に巻回され固定される防水基材からなるリストバンドであって、
前記患者の個人情報を電気的に記憶し、且つ表面にて前記患者の個人情報を表示するＩＣシートと、
前記ＩＣシートを内在する収納部と、を有し、
前記収納部の表面を透明基材にて形成し、
前記収納部の裏面に、前記ＩＣシートを挿入、及び取出し可能とする密着開閉自在な開口部を有することを特徴とするリストバンド。
【請求項２】
前記ＩＣシートは、電気的に情報を記憶するＩＣと、外部機器と交信を行うアンテナとからなるＩＣ回路をベース基材上に形成されてなるインレットを、印字可能な第１のシート、及び第２のシート間に取外し可能に有してなることを特徴とする請求項１に記載のリストバンド。
【請求項３】
前記収納部内に水分を含有すると変色する水感応性領域を有することを特徴とする請求項１に記載のリストバンド。
【請求項４】
患者の手首または足首に巻回され固定される防水基材からなるリストバンドであって、
袋形状の収納部を有し、
前記収納部の表面を透明基材にて形成し、
前記収納部の裏面に、密着開閉自在な開口部を有することを特徴とするリストバンド。
【発明の詳細な説明】
【技術分野】
【０００１】
本発明は、リストバンドに係り、特に病院の入院患者の手首や足首に装着され、患者識別用に用いられるリストバンドに関する。
【背景技術】
【０００２】
従来から、病院では医師や看護士がカルテ等と患者とを目視することによって確認を行っており、確認後に投薬、手術等の医療行為が行われていたが、前述に示す目視による確認の為、患者を取り違えてしまう等の医療過誤が大きな社会問題となっている。
そこで、患者の取り違えによる医療過誤を未然に防止する為、種々の情報を記録可能なＩＣを用い、このＩＣを備えたリストバンドを患者の手首や足首に装着し、そのリストバンドのＩＣを専用の外部機器にて読み取って患者の確認を行う確認方法が近年広く実施されてきている。
【０００３】
従来のリストバンドについて、特許文献１に開示されており、図４を用いて概説する。
図４は、従来のリストバンド２０の概略構造を示す平面図である。
図４に示すように、リストバンド２０は、表示部２２と、その長手方向の一方にバンド部３、他方に固定部４とを有してなり、さらに後述するインレット２８（特許文献１のＩＣチップに相当）を内在し前記表示部２２表面にラベル１１が貼付されている。
バンド部３は、帯形状を有しておりその中央部に長さ調節用のバンド穴１４、１４、１４、…が一定の間隔をもって形成されている。
固定部４は、前記バンド部３と同じ幅であり、且つそのバンド部３よりも短く形成され、中央部にバンド部３と固定部４とを連結する為の固定穴１５、１５、…を有している。そして、リストバンド２０裏面を当該患者の手首や足首に密着させ前記バンド部３を巻回し、前記バンド穴１４と前記固定穴１５とを合せ、固定具（図示せず）にて前記バンド部３と前記固定部４とを連結するようになっている。
インレット２８は、非接触で電気的に情報の書込み、または読出し可能なＩＣ５及び専用の外部機器（図示せず）と交信を行うアンテナ６より構成されるＩＣ回路を耐熱、耐蝕性を有する樹脂素材２７にて全面コーティングし、過熱、または洗浄による滅菌、消毒が可能なように構成されている。
表示部２２は、前記バンド部３、及び前記固定部４よりも幅広に形成され、前記インレット２８を密閉して内在し、表面に当該患者の識別ＩＤ、氏名、性別、年齢、血液型、生年月日等の個人情報が印字されたラベル１１を粘着により貼付するようになっている。
【０００４】
上記構成のリストバンド２０の使用形態に関して、ＩＣ５への電気的な書込み、または読出し可能な外部機器としてのＩＣリーダライタ（図示せず）によって、リストバンド２０に内在するインレット２８のＩＣ５に当該患者の識別ＩＤ、氏名、性別、年齢、血液型、生年月日等の個人情報が電気的に書き込まれる。
また、前記個人情報は印字手段としてのプリンタ（図示せず）によってラベル１１表面に印字され、前記リストバンド２０の表示部２２に、前記ラベル１１を貼付するようになっている。
このようにしてＩＣ５及びラベル１１に前記個人情報が書き込まれたリストバンド２０について、医者、看護士、当該患者、またはその関係者が表示部２２に貼付されたラベル１１の印字情報を目視して確認して個人認証を行った後、前記リストバンド２０を当該患者の手首、または足首に巻き、バンド部３と固定部４とを連結して当該患者に装着する。
当該患者に医療行為を行うときには、表示部２２に貼付されたラベル１１の印字情報を目視して確認し、さらにＩＣ５に記憶された個人情報を前記ＩＣリーダライタにて読取って患者の認証を行う。その結果、認証されたとき、投薬、または手術等の医療行為を行うようになっており、患者を取り違えるといった人為的なミスを未然に防止することができる。
当該患者が退院するときには、リストバンド２０は不要となる為、当該患者から取り外すようになっている。
そして、リストバンド２０に内在するインレット２８は、そのリストバンド２０の表示部２２を鋏等で破断することによって取出され、加熱、洗浄による滅菌、消毒を施した後、前記ＩＣリーダライタによって記憶情報を消去し、機能チェックにて機能障害がないと判断されれば再び新たなリストバンド２０に内在され再利用される。
【０００５】
こうした構成のリストバンド２０により、患者の取り違え等の医療過誤の防止を図ることができ、且つインレット２８を再利用することができる。
しかし、上記リストバンド２０は、インレット２８とラベル１１とが夫々別体であり、すなわちインレット２８をリストバンド２０に内在し、個人情報を表示したラベル１１をリストバンド２０表面に貼付するようになっている為、大病院等で複数の患者にリストバンド２０を配布する場合等、リストバンド２０に内在するインレット２８のＩＣ５に記憶されている情報と異なる情報を有するラベル１１が貼付されることがあり、ＩＣの記憶情報を確実に表示するリストバンドが要請されている。
また、ラベル１１は、リストバンド２０表面に貼付されている為、リストバンド２０を装着した当該患者が入浴する場合等、そのラベル１１が剥がれ落ちることがあり、その為の対処方法が要請されている。
また、再利用可能なインレット２８について、リストバンド２０使用時においては、当該患者によるインレット２８の取出しを防止する為、表示部２２を鋏等で破断することで前記リストバンド２０から取出し可能になっており、鋏等で破断することなく容易にインレットを取出し可能、且つリストバンド装着時には取出し不可能なリストバンドが要請されている。
また、ＩＣ５は、水分が付着することによって故障することがある為、水分が付着したかどうか確認可能なリストバンドも要請されている。
【０００６】
【特許文献１】特開２００３−７０８５２号公報
【発明の開示】
【発明が解決しようとする課題】
【０００７】
本発明は、以上のような従来の諸問題に鑑みてなされたもので、患者の取り違え等の医療過誤の防止を図ることができ、且つインレットを再利用できるリストバンドを提供することを目的とする。
【０００８】
また本発明は、内在するインレットのＩＣの記憶情報と表示情報とが異なることなく、確実に表示できるリストバンドを提供することを目的とする。
【０００９】
また本発明は、ＩＣの記憶情報を表示するラベルが剥がれ落ちることなく、当該患者が入浴する場合においてもインレットを防水し、且つそのインレットのＩＣの記憶情報を確実に表示し続けることができるリストバンドを提供することを目的とする。
【００１０】
また本発明は、再利用可能なインレットについて、リストバンド装着時には、当該患者によるインレットの取出しを不可能とし、且つ前記リストバンドを当該患者から取外した後は、容易に取出すことができるリストバンドを提供することを目的とする。
【００１１】
また本発明は、ＩＣに水分が付着したかどうか確認可能なリストバンドを提供することを目的とする。
【課題を解決するための手段】
【００１２】
すなわち本発明は、病院の入院患者識別用に用いられるリストバンドにおいて、電気的に情報を記憶するＩＣを有し、且つ表面を印字可能とするＩＣシートを取出し可能に内在する構成としたことに着目したもので、患者の手首または足首に巻回され固定される防水基材からなるリストバンドであって、前記患者の個人情報を電気的に記憶し、且つ表面にて前記患者の個人情報を表示するＩＣシートと、前記ＩＣシートを内在する収納部と、を有し、前記収納部の表面を透明基材にて形成し、前記収納部の裏面に、前記ＩＣシートを挿入、及び取出し可能とする密着開閉自在な開口部を有することを特徴としている。
前記ＩＣシートは、電気的に情報を記憶するＩＣと、外部機器と交信を行うアンテナとからなるＩＣ回路をベース基材上に形成されてなるインレットを、印字可能な第１のシート、及び第２のシート間に取外し可能に有してなることを特徴としている。
また、前記収納部に水分を含有すると変色する水感応性領域を有することを特徴としている。
また、本発明は、患者の手首または足首に巻回され固定される防水基材からなるリストバンドであって、袋形状の収納部を有し、前記収納部の表面を透明基材にて形成し、前記収納部の裏面に、密着開閉自在な開口部を有することを特徴としている。
【発明の効果】
【００１３】
本発明にあっては次に列挙する効果が得られる。
本発明に係るリストバンドは、患者の取り違え等の医療過誤の防止を図ることができ、且つインレットを再利用できる効果がある。
リストバンドに内在するＩＣシートのＩＣの記憶情報と表示情報が異なることなく、確実に表示できる効果がある。
ＩＣの記憶情報を表示するラベルが剥がれ落ちることなく、当該患者が入浴する場合においてもＩＣシートを防水し、且つそのＩＣシートのＩＣの記憶情報を確実に表示し続けることができる効果がある。
再利用可能なインレットについて、リストバンドの収納部の裏面に密着開閉自在な開口部を有する構成としたので、リストバンド装着時には、当該患者による前記インレットを有するＩＣシートの取出しを不可能とし、且つ前記リストバンドを当該患者から取り外した後は、容易に取出すことができる効果がある。
ＩＣに水分が付着したかどうか確認でき、容易に認識することができる効果がある。
【発明を実施するための最良の形態】
【００１４】
以下、図面を参照して、本発明を実施するための最良の形態について詳細に説明する。
【００１５】
本発明の実施の形態によるリストバンドを図１乃至図３に基づき説明する。ただし、図４と同様の部分には同一符号を付し、その詳述はこれを省略する。
図１は、本発明の実施の形態に係るリストバンド１０の概略平面図であり、図２は、図１に示すリストバンド１０のＩＣシート１の概略説明図であり、図３は、図１示すリストバンド１０の図１中矢示ＩＩＩ−ＩＩＩ方向の断面図である。
【００１６】
本発明に係るリストバンド１０は、塩化ビニル等の周知の合成樹脂材により構成される柔軟性及び防水性の高いリストバンド１０であって、図１を参照すると、収納部２と、その長手方向の一方にバンド部３、他方に固定部４とを有してなり、さらにＩＣ５を有し且つ表面に印字可能な単葉のＩＣシート１を内在し、前記収納部２表面からＩＣシート１表面の印字内容を透視可能に構成されている。
【００１７】
ＩＣシート１は、主に、図２に示すように、非接触で電気的に情報の書込み、または読出し可能なＩＣ５及びＩＣリーダライタ（図示せず）と交信を行うアンテナ６より構成されるＩＣ回路がベース基材７上に形成されてなるインレット８を、印字可能な合成紙等の表面シート１２、１３の間に有し構成されている。
なお、本実施の形態のＩＣシート１は、長手方向の一方を円弧状とし他方を角形状として、後述する収納部２の開口部９へのＩＣシート１の挿入方向が明確となるように形成されている。
また、前記インレット８は、繰返し再利用するものであって、表面シート１２、１３の間を弱粘着剤、または擬似接着剤にて貼り合わせる等の周知方法により、前記ＩＣシート１から取外し可能に構成される。
【００１８】
バンド部３、及び固定部４は、図４に示す従来のバンド部３及び固定部４と同一構成を有する。
収納部２は、前記バンド部３、及び前記固定部４よりも幅広に形成され、且つ前記ＩＣシート１を内在可能な袋形状を有しており、収納部２の表面は内在する前記ＩＣシート１を透視できるように、透明の合成樹脂材からなる透明基材にて形成し、前記収納部２の裏面に、前記ＩＣシート１を挿入、または取出し可能とする密着開閉自在な開口部９を有している。
前記開口部９は、図３に示すように、凹部１６と凸部１７とを嵌合することにより密着開閉自在となっており、ＩＣシート１を開口部９より挿入し、前記凹部１６と前記凸部１７とを嵌合させて該開口部９を閉じることにより、収納部２の内側が密封され、防水領域１９を形成するようになっている。
また、前記開口部９の端縁に、その開口部９の開閉の容易化を図る円弧状の摘み部２１を形成してなる。
なお、前記収納部２の裏面内側に、水分を含有すると変色する周知のインキ塗料１８  （例えば、ｐＨ指示薬とアルカリ剤とからなる）を塗布することにより、防水領域１９に万が一水分が浸入した場合においても、水分によってインキ塗料１８が発色し確認できる。
【００１９】
上記構成のリストバンド１０の使用形態に関して、前記ＩＣリーダライタによって、リストバンド１０に内在するＩＣ５に、当該患者の識別ＩＤ、氏名、性別、年齢、血液型、生年月日等の個人情報が電気的に書き込まれ、また前記個人情報は、印字手段としてのプリンタ（図示せず）によってＩＣシート１０表面に印字される。なお、ＩＣリーダライタを備える周知のプリンタを用いることにより、前記ＩＣ５への情報の書込み、及び前期ＩＣシート１０表面への印字を一連の作業で行うことができる。
【００２０】
そして、ＩＣ５及びＩＣシート１０表面に個人情報が書き込まれたＩＣシート１をリストバンド１０の収納部２裏面側に形成する開口部９を開いて挿入し、その開口部９を閉じて密封させる。このとき、前記ＩＣシート１の印字情報が前記リストバンド１０表面から透視できるように表面側に位置するように挿入する。
なお、ＩＣシート１が長手方向の一方を円弧状とし他方を角形状としたので、収納部２の開口部９へのＩＣシート１の挿入方向が明確になり、取扱いが容易となる。
【００２１】
このようにしてＩＣ５及びＩＣシート１表面に前記個人情報が書き込まれたリストバンド１０について、医者、看護士、当該患者、またはその関係者が前記ＩＣシート２の印字情報を透視可能な収納部２より目視して確認して個人認証を行った後、前記リストバンド１０を当該患者の手首、または足首に巻き、バンド部３と固定部４とを連結して当該患者に装着する。
なお、このリストバンド１０は、開口部９が収納部２の裏面に設けられており、患者の手首、または足首にリストバンド１０を巻回して装着した際、前記開口部９が当該患者の手首、足首と接した状態となる為、開口が困難となり前記ＩＣシート１を取出しできなくなる。
当該患者に医療行為を行うときには、前記ＩＣシート１の印字情報を透視可能な収納部２より目視して確認し、さらにＩＣ５に記憶された個人情報を前記ＩＣリーダライタにて読取って患者の認証を行う。その結果、認証されたとき、投薬、または手術等の医療行為を行うようになっており、患者を取り違えるといった人為的なミスを未然に防止することができる。
【００２２】
また、前記ＩＣシート１は、前記リストバンド１０の収納部２にて密封された防水領域１９に内在し水に接触することがない為、当該患者が入浴するときにおいても、リストバンド１０を使用できる。なお、万が一水分が浸入した場合においても、前記収納部２の裏面内側の塗布されたインキ塗料１８が発色し確認できるようになっている。
【００２３】
当該患者が退院するときには、リストバンド１０は不要となる為、当該患者から取外すようになっている。
そして、リストバンド１０の収納部２にて内在するＩＣシート１は、収納部２裏面側の開口部９を開くことによって取出され、ＩＣ５を備えるインレット８を前記ＩＣシート１から取外して、新たなシート１２、１３に取り付けられ再利用される。
【００２４】
かくして、本発明を実施するための最良の形態によれば、リストバンド１０は、患者の取り違え等の医療過誤の防止を図ることができ、且つインレット８を再利用できる。
また、リストバンド１０に内在するＩＣシート１のＩＣ５の記憶情報と、透視可能な収納部２表面から目視して確認する表示情報が異なることなく、確実に表示できる。
また、ＩＣ５の記憶情報を表示するラベルが剥がれ落ちてしまうことなく、当該患者が入浴する場合においても前記ＩＣシート１を防水し、且つそのＩＣシート１の記憶情報を確実に表示し続けることができる。特に、ＩＣシート１がリストバンド１０の防水領域１９にて内在する為、ＩＣシート１を防水加工せずとも使用できる。
また、再利用可能なインレット８について、リストバンド１０の収納部２の裏面に密着開閉自在な開口部９を有する構成としたので、リストバンド１０装着時には、当該患者による前記インレット８を有するＩＣシート１の取出しを不可能とし、且つ前記リストバンド１０を当該患者から取り外した後は、容易に取出すことができる。
さらに、ＩＣ５に水分が付着したかどうか確認でき、容易に認識することができる。
【００２５】
なお、本発明を実施する為の最良の形態において、ＩＣシート１の表面の印字情報について個人情報を印字する構成としたが、特に限定するものではなく、バーコード等を印字するようにしてもよい。
また、ＩＣシート１の形状について、長手方向の一方を円弧状とし他方を角形状としたが、両方を円弧状、または角形状としてもよく特に限定されない。
また、ＩＣ５に個人情報を書き込む構成としたが、個人情報の他、診断経過、症状、投薬情報等を記憶するようにしてもよい。
【００２６】
本発明の趣旨を逸脱しない範囲で適宜変更することができることは言うまでもない。
【図面の簡単な説明】
【００２７】
【図１】本発明の実施の形態に係るリストバンド１０の概略平面図。
【図２】同上、リストバンド１０のＩＣシート１の概略説明図。
【図３】同上、リストバンド１０の図１中矢示ＩＩＩ−ＩＩＩ線の断面図。
【図４】従来のリストバンド２０を示す概略平面図。
【符号の説明】
【００２８】
１  ＩＣシート
２  収納部
３  バンド部
４  固定部
５  ＩＣ
６  アンテナ
７  ベース基材
８、２８  インレット
９  開口部
１０、２０  リストバンド
１１  ラベル
１２、１３  表面シート
１４  バンド穴
１５  固定穴
１６  凹部
１７  凸部
１８  インキ塗料
１９  防水領域
２１  摘み部
２２  表示部
２７  樹脂素材
【図１】
2005287663.tif 000003
【図２】
2005287663.tif 000004
【図３】
2005287663.tif 000005
【図４】
2005287663.tif 000006